【手続補正書】
【提出日】平成18年3月16日(2006.3.16)
【手続補正１】
【補正対象書類名】明細書
【補正対象項目名】特許請求の範囲
【補正方法】変更
【補正の内容】
【特許請求の範囲】
【請求項１】  色属性の異なる複数の色フィルタ素子が所定の配列で形成されてなる色フィルタが受光面に貼付された固体撮像素子から出力されたカラー撮像信号を処理する画像圧縮装置であって、前記固体撮像素子からの第１のカラー撮像信号の内、一の前記色フィルタ素子に対応する前記第１のカラー撮像信号とこの一の前記色フィルタ素子に隣接する他の前記色フィルタ素子に対応する前記第１のカラー撮像信号とを、共にその色属性は保ったまま、同一位置に係る第２のカラー撮像信号に各々変換して且つ、前記第２のカラー撮像信号に対し、各色毎に、所定の配列形式に変換を行なって画像データ群を生成する前処理を行う前処理手段と、前記所定の配列形式で配列された画像データ群を１ユニットとして、１ユニット中の空間周波数成分を算出する周波数変換部と、空間周波数成分を量子化する量子化部と、量子化された空間周波数成分を符号化する符号化部とを備える画像圧縮手段とを有することを特徴とする画像圧縮装置。
【請求項２】  前記前処理手段は、前記同一位置を、色的に隣接する２つの位置を結ぶ線分を整数比に内分する位置として設定し、色的に隣接する２つの位置に対応する前記第１のカラー撮像信号を補間し、当該設定位置の前記第２のカラー撮像信号を求めるように構成されていることを特徴とする請求項１に係る画像圧縮装置。
【請求項３】  前記前処理手段は、前記整数比の合計が２のべき乗となるように設定することを特徴とする請求項２に係る画像圧縮装置。
【請求項４】  前記前処理手段は、前記整数比を１：３に内分する位置として設定することを特徴とする請求項３に係る画像圧縮装置。
【請求項５】  色属性の異なる複数の色フィルタ素子が所定の配列で形成されてなる色フィルタが受光面に貼付された固体撮像素子から出力されたカラー撮像信号を処理する画像圧縮装置であって、所定領域に含まれる、色フィルタ上の色空間を保ったまま、同一色の複数のカラー撮像信号を１ユニットとして、この１ユニット中の空間周波数成分を、線形演算により算出する前処理手段と、空間周波数成分を量子化する量子化部と、量子化された空間周波数成分を符号化する符号化部とを有することを特徴とする画像圧縮装置。
【請求項６】  前記前処理手段は、前記固体撮像素子から出力されるカラー撮像信号を第１のカラー撮像信号として、前記第１のカラー撮像信号の内、一の前記色フィルタ素子に対応する前記第１のカラー撮像信号とこの一の前記色フィルタ素子に隣接する他の前記色フィルタ素子に対応する前記第１のカラー撮像信号とを、共にその色属性は保ったまま、同一位置に係る第２のカラー撮像信号に各々変換し、この第２のカラー撮像信号を基に、前記空間周波数成分の算出処理を行なうように構成されていることを特徴とする請求項５に係る画像圧縮装置。
【請求項７】  前記前処理手段は、前記同一位置を、色的に隣接する２つの位置を結ぶ線分を整数比に内分する位置として設定し、色的に隣接する２つの位置に対応する前記第１のカラー撮像信号を補間し、当該設定位置の前記第２のカラー撮像信号を求めるように構成されていることを特徴とする請求項６に係る画像圧縮装置。
【請求項８】  前記前処理手段は、前記整数比の合計が２のべき乗となるように設定することを特徴とする請求項７に係る画像圧縮装置。
【請求項９】  前記前処理手段は、前記整数比を１：３に内分する位置として設定することを特徴とする請求項８に係る画像圧縮装置。
【請求項10】  請求項１に記載の画像圧縮装置と、該画像圧縮装置から出力される符号データから、空間周波数成分を復号化する復号化部と、復号化された空間周波数成分を逆量子化する逆量子化部と、逆量子化された空間周波数成分に基づいて各色毎の撮像データを算出する逆周波数変換部とを備える伸長手段と、該伸長手段から出力される各色毎の撮像データを同時化処理し、画像データを生成する画像データ生成手段とを有することを特徴とする画像処理システム。
【請求項11】  請求項５に記載の画像圧縮装置と、該画像圧縮装置から出力される符号データから、空間周波数成分を復号化する復号化部と、復号化された空間周波数成分を逆量子化する逆量子化部と、逆量子化された空間周波数成分に基づいて各色毎の撮像データを算出する逆周波数変換部とを備える伸長手段と、該伸長手段から出力される各色毎の撮像データを同時化処理し、画像データを生成する画像データ生成手段とを有することを特徴とする画像処理システム。
【手続補正２】
【補正対象書類名】明細書
【補正対象項目名】００１８
【補正方法】変更
【補正の内容】
【００１８】
【課題を解決するための手段】
前記課題を解決するため、請求項１に係る発明は、色属性の異なる複数の色フィルタ素子が所定の配列で形成されてなる色フィルタが受光面に貼付された固体撮像素子から出力されたカラー撮像信号を処理する画像圧縮装置であって、前記固体撮像素子からの第１のカラー撮像信号の内、一の前記色フィルタ素子に対応する前記第１のカラー撮像信号とこの一の前記色フィルタ素子に隣接する他の前記色フィルタ素子に対応する前記第１のカラー撮像信号とを、共にその色属性は保ったまま、同一位置に係る第２のカラー撮像信号に各々変換して且つ、前記第２のカラー撮像信号に対し、各色毎に、所定の配列形式に変換を行なって画像データ群を生成する前処理を行う前処理手段と、前記所定の配列形式で配列された画像データ群を１ユニットとして、１ユニット中の空間周波数成分を算出する周波数変換部と、空間周波数成分を量子化する量子化部と、量子化された空間周波数成分を符号化する符号化部とを備える画像圧縮手段とを有することを特徴とするものである。
【手続補正３】
【補正対象書類名】明細書
【補正対象項目名】００１９
【補正方法】変更
【補正の内容】
【００１９】
このように構成された画像圧縮装置においては、固体撮像素子から得られた第１のカラー撮像信号を変換した第２のカラー撮像信号に基づいて、所定配列形式に変換された画像データ群が生成され、前記画像圧縮手段は、前記画像データ群に対して圧縮処理を行う。これにより、固体撮像素子から得られたカラー撮像信号に基づいてＲ，Ｇ，Ｂ信号を生成し、Ｒ，Ｇ，Ｂ信号に基づいてＹ，Ｃr ，Ｃb 信号を生成する等の異なる色空間を生成する手段を必要としないので、省電力化を図った画像圧縮装置を実現することができる。更に、固体撮像素子から得られた第１のカラー撮像信号の隣接する各色データを、同一位置に係る第２のカラー撮像信号に変換している。これにより、前記画像圧縮手段の圧縮処理による画質劣化を抑えることができる。
【手続補正４】
【補正対象書類名】明細書
【補正対象項目名】００２０
【補正方法】変更
【補正の内容】
【００２０】
請求項２に係る発明は、請求項１に係る画像圧縮装置において、前記前処理手段は、前記同一位置を、色的に隣接する２つの位置を結ぶ線分を整数比に内分する位置として設定し、色的に隣接する２つの位置に対応する前記第１のカラー撮像信号を補間し、当該設定位置の前記第２のカラー撮像信号を求めるように構成されていることを特徴とするものである。
【手続補正５】
【補正対象書類名】明細書
【補正対象項目名】００２１
【補正方法】変更
【補正の内容】
【００２１】
このように構成された画像圧縮装置においては、固体撮像素子から得られたカラー撮像信号に基づいて、所定配列形式に変換された画像データ群を生成する処理において、加算時に小数点の演算が不要となるので、前記前処理手段の省電力化を図ることができる。
【手続補正６】
【補正対象書類名】明細書
【補正対象項目名】００２２
【補正方法】変更
【補正の内容】
【００２２】
請求項３に係る発明は、請求項２に係る画像圧縮装置において、前記前処理手段は、前記整数比の合計が２のべき乗となるように設定することを特徴とするものである。
【手続補正７】
【補正対象書類名】明細書
【補正対象項目名】００２３
【補正方法】変更
【補正の内容】
【００２３】
このように構成された画像圧縮装置においては、固体撮像素子から得られたカラー撮像信号に基づいて、所定配列形式に変換された画像データ群を生成する処理において、乗算が不要で、加算器とビットシフタのみの簡単な回路構成で実現できるので、前記前処理手段の省電力化を図ることができる。
【手続補正８】
【補正対象書類名】明細書
【補正対象項目名】００２４
【補正方法】変更
【補正の内容】
【００２４】
請求項４に係る発明は、請求項３に係る画像圧縮装置において、前記前処理手段は、前記整数比を１：３に内分する位置として設定することを特徴とするものである。
【手続補正９】
【補正対象書類名】明細書
【補正対象項目名】００２５
【補正方法】変更
【補正の内容】
【００２５】
このように構成された画像圧縮装置においては、固体撮像素子から得られたカラー撮像信号に基づいて、所定配列形式に変換された画像データ群を生成する処理において、全てのカラー撮像信号に対して、同一の演算で第２のカラー撮像信号が得られるので、生成される第２のカラー撮像信号の均質化が図れると共に、内分する比の合計を２のべき乗に設定する装置の中では回路構成をもっとも簡易にすることができる。
【手続補正１０】
【補正対象書類名】明細書
【補正対象項目名】００２６
【補正方法】変更
【補正の内容】
【００２６】
請求項５に係る発明は、色属性の異なる複数の色フィルタ素子が所定の配列で形成されてなる色フィルタが受光面に貼付された固体撮像素子から出力されたカラー撮像信号を処理する画像圧縮装置であって、所定領域に含まれる、色フィルタ上の色空間を保ったまま、同一色の複数のカラー撮像信号を１ユニットとして、この１ユニット中の空間周波数成分を、線形演算により算出する前処理手段と、空間周波数成分を量子化する量子化部と、量子化された空間周波数成分を符号化する符号化部とを有することを特徴とするものである。
【手続補正１１】
【補正対象書類名】明細書
【補正対象項目名】００２８
【補正方法】変更
【補正の内容】
【００２８】
請求項６に係る発明は、請求項５に係る画像圧縮装置において、前記前処理手段は、前記固体撮像素子から出力されるカラー撮像信号を第１のカラー撮像信号として、前記第１のカラー撮像信号の内、一の前記色フィルタ素子に対応する前記第１のカラー撮像信号とこの一の前記色フィルタ素子に隣接する他の前記色フィルタ素子に対応する前記第１のカラー撮像信号とを、共にその色属性は保ったまま、同一位置に係る第２のカラー撮像信号に各々変換し、この第２のカラー撮像信号を基に、前記空間周波数成分の算出処理を行なうように構成されていることを特徴とするものである。
【手続補正１２】
【補正対象書類名】明細書
【補正対象項目名】００２９
【補正方法】変更
【補正の内容】
【００２９】
このように構成された画像圧縮装置においては、固体撮像素子から得られた第１のカラー撮像信号の各色データに基づいて、第１のカラー撮像信号の隣接する各色データを、同一位置に係る第２のカラー撮像信号に変換している。これにより、前記画像圧縮手段の圧縮処理による画質劣化を抑えることができる。
【手続補正１３】
【補正対象書類名】明細書
【補正対象項目名】００３０
【補正方法】変更
【補正の内容】
【００３０】
請求項７に係る発明は、請求項６に係る画像圧縮装置において、前記前処理手段は、前記同一位置を、色的に隣接する２つの位置を結ぶ線分を整数比に内分する位置として設定し、色的に隣接する２つの位置に対応する前記第１のカラー撮像信号を補間し、当該設定位置の前記第２のカラー撮像信号を求めるように構成されていることを特徴とするものである。
【手続補正１４】
【補正対象書類名】明細書
【補正対象項目名】００３１
【補正方法】変更
【補正の内容】
【００３１】
このように構成された画像圧縮装置においては、固体撮像素子から得られたカラー撮像信号に基づいて、所定定領域に含まれる色フィルタ上の色空間を保ったまま、同一色の複数のカラー撮像信号を生成する処理において、加算時に小数点の演算が不要となるので、前記前処理手段の省電力化を図ることができる。
【手続補正１５】
【補正対象書類名】明細書
【補正対象項目名】００３２
【補正方法】変更
【補正の内容】
【００３２】
請求項８に係る発明は、請求項７に係る画像圧縮装置において、前記前処理手段は、前記整数比の合計が２のべき乗となるように設定することを特徴とするものである。
このように構成された画像圧縮装置においては、固体撮像素子から得られたカラー撮像信号に基づいて、所定領域に含まれる色フィルタ上の色空間を保ったまま、同一色の複数のカラー撮像信号を生成する処理において、乗算が不要で、加算器とビットシフタのみの簡単な回路構成で実現できるので、前記前処理手段の省電力化を図ることができる。
【手続補正１６】
【補正対象書類名】明細書
【補正対象項目名】００３３
【補正方法】変更
【補正の内容】
【００３３】
請求項９に係る発明は、請求項８に係る画像圧縮装置において、前記整数比を１：３に内分する位置として設定することを特徴とするものである。
このように構成された画像圧縮装置においては、固体撮像素子から得られたカラー撮像信号に基づいて、所定領域に含まれる色フィルタ上の色空間を保ったまま、同一色の複数のカラー撮像信号を生成する処理において、全てのカラー撮像信号に対して、同一の演算で第２のカラー撮像信号が得られるので、生成される第２のカラー撮像信号の均質化が図れると共に、内分する比の合計を２のべき乗に設定する装置の中では回路構成をもっとも簡易にすることができる。
【手続補正１７】
【補正対象書類名】明細書
【補正対象項目名】００３４
【補正方法】変更
【補正の内容】
【００３４】
請求項10に係る発明は、請求項１に記載の画像圧縮装置と、該画像圧縮装置から出力される符号データから、空間周波数成分を復号化する復号化部と、復号化された空間周波数成分を逆量子化する逆量子化部と、逆量子化された空間周波数成分に基づいて各色毎の撮像データを算出する逆周波数変換部とを備える伸長手段と、該伸長手段から出力される各色毎の撮像データを同時化処理し、画像データを生成する画像データ生成手段とで画像処理システムを構成するものである。
【手続補正１８】
【補正対象書類名】明細書
【補正対象項目名】００３６
【補正方法】変更
【補正の内容】
【００３６】
請求項11に係る発明は、請求項５に記載の画像圧縮装置と、該画像圧縮装置から出力される符号データから、空間周波数成分を復号化する復号化部と、復号化された空間周波数成分を逆量子化する逆量子化部と、逆量子化された空間周波数成分に基づいて各色毎の撮像データを算出する逆周波数変換部とを備える伸長手段と、該伸長手段から出力される各色毎の撮像データを同時化処理し、画像データを生成する画像データ生成手段とで画像処理システムを構成するものである。
【手続補正１９】
【補正対象書類名】明細書
【補正対象項目名】００３７
【補正方法】変更
【補正の内容】
【００３７】
請求項10に係る画像処理システムにおいては、固体撮像素子から得られたカラー撮像信号に基づいて、所定配列形式に変換を行って生成された画像データ群に対して、空間周波数成分を算出していたが、上記請求項11に係る画像処理システムにおいては、カラー撮像信号の空間周波数成分を、前記画像データ群を生成させることなく、線形演算によって直接生成される。これにより、画像データ群を保持する手段を必要としないので、画像処理システムの小型化を図ることできる。
【手続補正２０】
【補正対象書類名】明細書
【補正対象項目名】００８３
【補正方法】変更
【補正の内容】
【００８３】
【発明の効果】
以上実施の形態に基づいて説明したように、請求項１に係る発明によれば、固体撮像素子から得られた第１のカラー撮像信号を変換した第２のカラー撮像信号に基づいて、所定配列形式に変換された画像データ群が生成され、固体撮像素子から得られたカラー撮像信号に基づいてＲ，Ｇ，Ｂ信号を生成し、Ｒ，Ｇ，Ｂ信号に基づいてＹ，Ｃr ，Ｃb 信号を生成する等の異なる色空間を生成する手段を必要としないので、画像圧縮装置の省電力化を図ることができ、また、圧縮処理による画質劣化を抑えることの可能な画像圧縮装置を実現できる。また、請求項２〜４に係る発明によれば、画像データ群の生成を簡易な回路構成で実現できる請求項１に係る画像圧縮装置を提供できる。また、請求項５に係る発明によれば、固体撮像素子から得られたカラー撮像信号に基づいて、所定配列形式に変換された画像データ群の空間周波数成分が直接生成され、画像データ群を保持する手段を必要としないので、画像圧縮装置の小型化を実現できる。
【手続補正２１】
【補正対象書類名】明細書
【補正対象項目名】００８４
【補正方法】変更
【補正の内容】
【００８４】
また、請求項６に係る発明によれば、圧縮処理による画質劣化を抑えることの可能な請求項５に係る画像圧縮装置を実現できる。また、請求項７〜９に係る発明によれば、簡易な回路構成で省電力化を図れる請求項６に係る画像圧縮装置を実現できる。また、請求項10に係る発明によれば、固体撮像素子から得られたカラー撮像信号に基づいて、所定配列形式に変換された画像データ群が生成され、固体撮像素子から得られたカラー撮像信号に基づいてＲ，Ｇ，Ｂ信号を生成し、Ｒ，Ｇ，Ｂ信号に基づいてＹ，Ｃr ，Ｃb 信号を生成する等の異なる色空間を生成する手段を必要としないので、画像処理システムの省電力化を実現できる。また、請求項11に係る発明によれば、固体撮像素子から得られたカラー撮像信号に基づいて、所定配列形式に変換された画像データ群の空間周波数成分が直接生成され、画像データ群を保持する手段を必要としないので、画像処理システムの小型化を実現できる。